(57)【要約】【課題】コメントが入力されることによりＷｅｂページの重要度が向上するように、当該コメントをＷｅｂページに関連付ける方法を提供すること。【解決手段】サーバ１０は、Ｗｅｂページにおいて、コメントデータの入力要求を受け付け、入力要求を受け付けたことに応じて、Ｗｅｂページに対するリンクデータを含み、コメントデータの入力を受け付ける新たなＷｅｂページを生成し、受け付けたコメントデータに基づいて、新たなＷｅｂページを更新し、新たなＷｅｂページに対するリンクデータを、コメントデータの入力要求を受け付けたＷｅｂページに挿入する。【選択図】図３
2008282305.tif 000002
【特許請求の範囲】
【請求項１】
Ｗｅｂページに対してコメントデータを関連付ける方法であって、
前記Ｗｅｂページにおいて、前記コメントデータの入力要求を受け付けるステップと、
前記入力要求を受け付けたことに応じて、前記Ｗｅｂページに対するリンクデータを含み、前記コメントデータの入力を受け付ける新たなＷｅｂページを生成するステップと、
受け付けた前記コメントデータに基づいて、前記新たなＷｅｂページを更新するステップと、
前記新たなＷｅｂページに対するリンクデータを、前記Ｗｅｂページに挿入するステップと、を含む方法。
【請求項２】
前記新たなＷｅｂページにおいて、前記コメントデータに対する新たなコメントデータを受け付けるため、更に新たなＷｅｂページを生成するステップを更に含む請求項１に記載の方法。
【請求項３】
前記新たなＷｅｂページにおいて、前記コメントデータの編集入力を受け付けるステップを更に含む請求項１または請求項２に記載の方法。
【請求項４】
前記Ｗｅｂページに挿入した、前記新たなＷｅｂページに対するリンクデータの削除要求を受け付けるステップと、
前記削除要求を受け付けたことに応じて、前記新たなＷｅｂページに対するリンクデータを削除すると共に、前記新たなＷｅｂページを削除するステップと、を更に含む請求項１から請求項３のいずれかに記載の方法。
【請求項５】
前記Ｗｅｂページに挿入した前記新たなＷｅｂページに対するリンクデータと関連付けて、前記コメントデータの少なくとも一部分を示す要約データを、前記Ｗｅｂページに挿入するステップを更に含む請求項１から請求項４のいずれかに記載の方法。
【請求項６】
前記要約データは、前記コメントデータから抽出され、当該コメントデータを特徴付けるキーワードであることを特徴とする請求項５に記載の方法。
【請求項７】
Ｗｅｂページに対してコメントデータを関連付けるサーバであって、
前記Ｗｅｂページにおいて、前記コメントデータの入力要求を受け付ける手段と、
前記入力要求を受け付けたことに応じて、前記Ｗｅｂページに対するリンクデータを含み、前記コメントデータの入力を受け付ける新たなＷｅｂページを生成する手段と、
受け付けた前記コメントデータに基づいて、前記新たなＷｅｂページを更新する手段と、
前記新たなＷｅｂページに対するリンクデータを、前記Ｗｅｂページに挿入する手段と、を備えるサーバ。
【請求項８】
Ｗｅｂページに対してコメントデータを関連付けさせるプログラムであって、
前記Ｗｅｂページにおいて、前記コメントデータの入力要求を受け付けるステップと、
前記入力要求を受け付けたことに応じて、前記Ｗｅｂページに対するリンクデータを含み、前記コメントデータの入力を受け付ける新たなＷｅｂページを生成するステップと、
受け付けた前記コメントデータに基づいて、前記新たなＷｅｂページを更新するステップと、
前記新たなＷｅｂページに対するリンクデータを、前記Ｗｅｂページに挿入するステップと、をサーバに実行させるプログラム。
【発明の詳細な説明】
【技術分野】
【０００１】
本発明は、Ｗｅｂページに対してコメントデータを関連付ける方法、サーバ、およびプログラムに関する。
【背景技術】
【０００２】
近年、インターネットの発展に伴い、様々な情報の発信やコミュニケーションのツールとして、ホームページやブログ等のＷｅｂページが作成されるようになっている。このようなＷｅｂページは、各種検索エンジンによって、不特定多数のユーザからの検索、閲覧が可能となっているが、膨大な数のＷｅｂページの中から所望のページに辿り着くのは難しい。
【０００３】
そこで、検索エンジンの中には、検索されるＷｅｂページの重要度を算出し、重要度の高いＷｅｂページを優先的に表示させる等の処理を行っているものもある。Ｗｅｂページの重要度は、例えば、ページランク（登録商標）と呼ばれる指標が用いられている(非特許文献１参照)。
【０００４】
この手法によれば、図１（詳細は後述する）に示すように、あるＷｅｂページへの他のページからのリンクに付与されるポイントが、当該Ｗｅｂページのポイントに加算される。その結果として、ポイントが高くなるほど、当該Ｗｅｂページのページランク（登録商標）が高いこととなる。すなわち、他の多くのページから参照されるＷｅｂページや、重要度の高い他のページから参照されるＷｅｂページの重要度が高く評価される。
【非特許文献１】Ｌａｗｒｅｎｃｅ  Ｐａｇｅ，Ｓｅｒｇｅｙ  Ｂｒｉｎ，Ｒａｊｅｅｖ  Ｍｏｔｗａｎｉ，Ｔｅｒｒｙ  Ｗｉｎｏｇｒａｄ，“Ｔｈｅ  ＰａｇｅＲａｎｋ  Ｃｉｔａｔｉｏｎ  Ｒａｎｋｉｎｇ：  Ｂｒｉｎｇｉｎｇ  Ｏｒｄｅｒ  ｔｏ  ｔｈｅ  Ｗｅｂ”，１９９８，［ｏｎｌｉｎｅ］，［平成１９年４月２０日検索］，インターネット＜URL:http://www-db.stanford.edu/~backrub/pageranksub.ps＞
【発明の開示】
【発明が解決しようとする課題】
【０００５】
このような手法によりＷｅｂページの重要度を算出する場合、ページ間のリンクに基づいて評価するため、周り（他のＷｅｂページ）から関心の高いＷｅｂページの重要度が高く評価される。例えば、多くのブログページが備えるトラックバック機能によれば、相互リンクが生成されることにより、重要度が高く算出されることが期待できる。
【０００６】
しかしながら、同一ページ内に他のユーザからのコメントを書き込む形式をとるＷｅｂページにおいては、これらのコメントに関してＷｅｂページ間のリンクが存在しないため、いかに関心の高い（コメント投稿の多い）Ｗｅｂページであっても、適切に評価され難い。例えば多くのブログページにおいても、トラックバック機能とは別に、このようなコメント入力機能を備えているが、コメントの書き込みが増えることによっても、当該ブログページへのリンクが増えることはない。
【０００７】
そこで本発明は、コメントが入力されることによりＷｅｂページの重要度が向上するように、当該コメントをＷｅｂページに関連付ける方法を提供することを目的とする。
【課題を解決するための手段】
【０００８】
上記目的のため、具体的には、以下のようなものを提供する。
【０００９】
（１）  Ｗｅｂページに対してコメントデータを関連付ける方法であって、
前記Ｗｅｂページにおいて、前記コメントデータの入力要求を受け付けるステップと、
前記入力要求を受け付けたことに応じて、前記Ｗｅｂページに対するリンクデータを含み、前記コメントデータの入力を受け付ける新たなＷｅｂページを生成するステップと、
受け付けた前記コメントデータに基づいて、前記新たなＷｅｂページを更新するステップと、
前記新たなＷｅｂページに対するリンクデータを、前記Ｗｅｂページに挿入するステップと、を含む方法。
【００１０】
このような構成によれば、当該方法を実行するサーバは、Ｗｅｂページにおいて、コメントデータの入力要求を受け付け、入力要求を受け付けたことに応じて、Ｗｅｂページに対するリンクデータを含み、コメントデータの入力を受け付ける新たなＷｅｂページを生成し、受け付けたコメントデータに基づいて、新たなＷｅｂページを更新し、新たなＷｅｂページに対するリンクデータを、コメントデータの入力要求を受け付けたＷｅｂページに挿入する。
【００１１】
このことにより、Ｗｅｂページ（ブログページ）に対するコメントデータは、当該Ｗｅｂページ（ブログページ）とは別の新たなＷｅｂページ（コメントページ）として生成されるため、コメントページからブログページへのリンクが新たに現れることによって、ブログページの重要度が高く算出されることになる。
【００１２】
（２）  前記新たなＷｅｂページにおいて、前記コメントデータに対する新たなコメントデータを受け付けるため、更に新たなＷｅｂページを生成するステップを更に含む（１）に記載の方法。
【００１３】
このような構成によれば、当該方法を実行するサーバは、コメントデータが入力された新たなＷｅｂページ（コメントページ）に対して、更に新たなＷｅｂページを生成し、コメントデータに対するコメントデータを入力させることができる。
【００１４】
このことにより、コメントに対するコメントという階層構造を持ったＷｅｂページを生成し、互いをリンクにより関連付けることができる。その結果、複数階層に渡るコメントの入力が増加するに従って、元のＷｅｂページ（ブログページ）の重要度は高まっていく。なお、本発明により、この階層構造（ツリー構造）の階層数を限定するものではない。
【００１５】
（３）  前記新たなＷｅｂページにおいて、前記コメントデータの編集入力を受け付けるステップを更に含む（１）または（２）に記載の方法。
【００１６】
このような構成によれば、当該方法を実行するサーバは、コメントデータ入力のために生成した新たなＷｅｂページにおいて、当該コメントデータの編集入力を受け付ける。このことにより、コメント入力および編集に対する利便性が向上し、例えば入力間違いに対する修正を容易に行うことができる。
【００１７】
なお、編集入力が可能なユーザは限定してもよく、例えば、コメントを入力したユーザあるいはブログページの作成ユーザ等のユーザ認証を行ってもよい。
【００１８】
（４）  前記Ｗｅｂページに挿入した、前記新たなＷｅｂページに対するリンクデータの削除要求を受け付けるステップと、
前記削除要求を受け付けたことに応じて、前記新たなＷｅｂページに対するリンクデータを削除すると共に、前記新たなＷｅｂページを削除するステップと、を更に含む（１）から（３）のいずれかに記載の方法。
【００１９】
このような構成によれば、当該方法を実行するサーバは、Ｗｅｂページ（ブログページ）に挿入した、新たなＷｅｂページ（コメントページ）に対するリンクデータの削除要求を受け付け、削除要求を受け付けたことに応じて、新たなＷｅｂページ（コメントページ）に対するリンクデータを削除すると共に、新たなＷｅｂページ（コメントページ）を削除する。
【００２０】
このことにより、当該サーバは、削除要求に応じて、コメントページおよびコメントページへのリンクを削除することで、コメントデータの入力を取り消すことができる。なお、削除可能なユーザは限定してもよく、例えば、コメントを入力したユーザあるいはブログページの作成ユーザ等のユーザ認証を行ってもよい。
【００２１】
（５）  前記Ｗｅｂページに挿入した前記新たなＷｅｂページに対するリンクデータと関連付けて、前記コメントデータの少なくとも一部分を示す要約データを、前記Ｗｅｂページに挿入するステップを更に含む（１）から（４）のいずれかに記載の方法。
【００２２】
このような構成によれば、当該方法を実行するサーバは、Ｗｅｂページ（ブログページ）に挿入するリンクデータと関連付けて、入力されたコメントデータから抽出する１以上のキーワードを、リンクデータの傍に表示させる。
【００２３】
Ｗｅｂページ（ブログページ）において、コメントデータへのリンクデータのみが存在する場合には、ページ遷移を伴わなければ閲覧ユーザはそのコメントの内容が理解できない。しかしながら、コメントデータから抽出した要約データを表示させることにより、閲覧ユーザは、コメントの種類（感想、評価等）や概要を把握できる可能性がある。
【００２４】
（６）  前記要約データは、前記コメントデータから抽出され、当該コメントデータを特徴付けるキーワードであることを特徴とする（５）に記載の方法。
【００２５】
このような構成によれば、当該方法を実行するサーバは、要約データとして、コメントデータを特徴付けるキーワードを抽出するので、閲覧ユーザは、コメントの内容をより効果的に把握することができる。
【００２６】
なお、キーワードの抽出方法に関しては、形態素解析や係り受け解析等、従来の手法を用いることができる。
【００２７】
（７）  Ｗｅｂページに対してコメントデータを関連付けるサーバであって、
前記Ｗｅｂページにおいて、前記コメントデータの入力要求を受け付ける手段と、
前記入力要求を受け付けたことに応じて、前記Ｗｅｂページに対するリンクデータを含み、前記コメントデータの入力を受け付ける新たなＷｅｂページを生成する手段と、
受け付けた前記コメントデータに基づいて、前記新たなＷｅｂページを更新する手段と、
前記新たなＷｅｂページに対するリンクデータを、前記Ｗｅｂページに挿入する手段と、を備えるサーバ。
【００２８】
このような構成によれば、当該サーバを運用することにより、（１）と同様の効果が期待できる。
【００２９】
（８）  Ｗｅｂページに対してコメントデータを関連付けさせるプログラムであって、
前記Ｗｅｂページにおいて、前記コメントデータの入力要求を受け付けるステップと、
前記入力要求を受け付けたことに応じて、前記Ｗｅｂページに対するリンクデータを含み、前記コメントデータの入力を受け付ける新たなＷｅｂページを生成するステップと、
受け付けた前記コメントデータに基づいて、前記新たなＷｅｂページを更新するステップと、
前記新たなＷｅｂページに対するリンクデータを、前記Ｗｅｂページに挿入するステップと、をサーバに実行させるプログラム。
【００３０】
このような構成によれば、当該プログラムを当該サーバ上で実行することにより、（１）と同様の効果が期待できる。
【発明の効果】
【００３１】
本発明によれば、コメントが入力されることによりＷｅｂページの重要度が向上するように、当該コメントをＷｅｂページに関連付けることができる。
【発明を実施するための最良の形態】
【００３２】
本発明に係る好適な実施形態の一例について、図面に基づいて以下に説明する。なお、本実施形態においては、Ｗｅｂページをブログページとし、生成する新たなＷｅｂページをコメントページとして説明する。
【００３３】
［重要度算出の原理］
図１は、本発明の好適な実施形態の一例に係るＷｅｂページの重要度の算出方法を表す概念図である。実際の検索エンジンにおいては、更に別の要素も加味されることが多いが、重要度の算出に大きく影響する部分について、その原理を説明する。
【００３４】
複数のＷｅｂページは、通常、リンクにより相互に関連付けられている。重要度の算出は、他のＷｅｂページからのリンクが多いほど関心の高いＷｅｂページであるという考えから、それぞれのリンクに付与されたポイントを加算することによりＷｅｂページのポイントとする。
【００３５】
具体的には、ページＣは、ページＡからのリンク（５０ポイント）と、ページＢからのリンク（３ポイント）を合計し、５３ポイントとなっている。ここで、ページＡからページＣへのリンクと、ページＡからページＤへのリンクが共に５０ポイントであるのは、ページＡの１００ポイントをリンクの数で等分したためである。同様に、ページＢからのリンクに関しては、９ポイントを３等分し、３ポイントとなる。
【００３６】
このようにして、各Ｗｅｂページの重要度は、算出されたポイントに基づいて評価されることとなる。すなわち、多くのページからリンクされるＷｅｂページ、重要度の高いページからリンクされるＷｅｂページについて、そのポイントが多くなるため、重要度が高いと評価される。
【００３７】
［処理概要］
図２は、本発明の好適な実施形態の一例に係るコメントデータの関連付け方法の概要を示す図である。
【００３８】
（Ａ）に示すように、Ｗｅｂページ（ブログページ）に対するコメントデータは、通常、同一のＷｅｂページ内に挿入されるため、重要度の算出に影響するリンクは、複数のＷｅｂページ（ブログページ）間で相互に有するリンクに限られ、コメントデータの増加（閲覧ユーザの増加）によって重要度が高まることがない。
【００３９】
そこで、（Ｂ）に示すように、コメントデータは、新たに生成したＷｅｂページ（コメントページ）に挿入することとする。新たなＷｅｂページ（コメントページ）を生成することにより、ブログページに対するリンクが増加するため、他のブログページに比較して相対的に算出されるポイントが高まっていく。すなわち、コメントデータの増加に伴って、算出される重要度が高くなっていく。
【００４０】
［機能構成］
このような方法を実現するためのサーバ１０の構成を以下に説明する。図３は、本発明の好適な実施形態の一例に係るサーバ１０の機能示すブロック図である。
【００４１】
サーバ１０は、ページ表示部１１０、コメントページ生成部１２０、コメント入力部１３０、リンク生成部１４０、およびＷｅｂページＤＢを備えている。
【００４２】
ページ表示部１１０は、ユーザの端末装置２０からの要求に応じて、ＷｅｂページＤＢ１５０からページデータを読み出し、端末装置２０に送信する。これにより、端末装置２０においてＷｅｂページが表示される。
【００４３】
コメントページ生成部１２０は、端末装置２０に表示したＷｅｂページ（ブログページ）に対するコメントの入力要求を受け付け、新たなＷｅｂページとしてのコメントページを生成する。生成したコメントページに関するページデータは、ＷｅｂページＤＢ１５０に記憶する。
【００４４】
コメント入力部１３０は、生成したコメントページに対して端末装置２０のユーザからコメントデータを受け付ける。受け付けたコメントデータはコメントページに挿入し、ページデータとしてＷｅｂページＤＢ１５０に記憶する。
【００４５】
リンク生成部１４０は、コメントページに対して、コメントの対象であるブログページへのリンクを挿入（ページデータを更新）する。また、ブログページに対しても、コメントページへのリンクを挿入（ページデータを更新）することにより、コメントページを新たに生成しても、ユーザは、ブログページからのページ遷移によりコメントデータを閲覧することができる。
【００４６】
ＷｅｂページＤＢ１５０は、サーバ１０が管理するＷｅｂページのページデータを記憶している。コメントページ生成部１２０、コメント入力部１３０、およびリンク生成部１４０により生成、更新されたページデータを記憶し、ページ表示部１１０により端末装置２０に送信する。
【００４７】
［処理フロー］
図４は、本発明の好適な実施形態の一例に係るサーバ１０の処理の流れを示す図である。
【００４８】
ステップＳ１１では、コメントページ生成部１２０は、端末装置２０からコメント入力の開始要求を受け付ける。具体的には、例えば、端末装置２０に表示するＷｅｂページ（ブログページ）に配置したボタンがユーザにより押下されたことに応じて、当該開始要求を受け付ける。
【００４９】
ステップＳ１２では、コメントページ生成部１２０は、ステップＳ１１の開始要求に応じて、コメントページを新たに生成する。これは、コメント入力のための新たなＷｅｂページであって、ＷｅｂページＤＢ１５０にページデータを登録する。
【００５０】
ステップＳ１３では、コメント入力部１３０は、ステップＳ１２にて生成したコメントページにおいて、ユーザからのコメントデータの入力を受け付ける。具体的には、コメントページに入力フィールドを設け、端末装置２０のユーザからの入力データを受け付ける。
【００５１】
なお、受け付けるデータは、テキストデータには限られず、画像や音声等、様々な形式のデータを入力可能としてよい。
【００５２】
ステップＳ１４では、コメント入力部１３０は、ステップＳ１３にて受け付けたコメントデータを、ＷｅｂページＤＢ１５０に記憶しているページデータに挿入し、コメントページを更新する。
【００５３】
ステップＳ１５では、リンク生成部１４０は、ブログページおよびコメントページに対して、相互のリンクデータを挿入する。具体的には、ブログページにおける従来のコメント表示欄には、コメントページに対するリンクを表示し、コメントページには、ブログページに対するリンクを表示する。
【００５４】
これにより、ブログページとコメントページとは、互いにページ遷移により表示を切り替えることができる。あるいは、リンクの押下により別画面（ウィンドウ）として表示することとしてもよい。
【００５５】
［画面例］
図５〜図８に、従来のブログページと、本発明の好適な実施形態の一例に係るブログページとを比較して画面例を示す。
【００５６】
図５の従来のブログページにおいては、ブログ記事と共に、閲覧した他のユーザが書き込んだコメントが表示されている。他のユーザからの書き込みが増えることによれば、当該ブログページの重要度が増していることが期待されるが、前述のようにページ間のリンクによる重要度の算出方法では、当該ブログページの重要度に変化はない。
【００５７】
図６の本実施形態におけるブログページにおいては、コメント表示欄には、他のＷｅｂページへ遷移するリンク３１が表示されている。この例では、リンク３１として、コメントの投稿日時および投稿したユーザ名を表示している。閲覧ユーザは、リンク３１をクリックすることにより、コメント内容の入力されたコメントページ（例えば図８）を表示させることができる。
【００５８】
ここで、コメントボタン３０は、新規にコメントを投稿するためのボタンである。ユーザがコメントボタン３０を押下することにより、サーバ１０のコメントページ生成部１２０は、新たなＷｅｂページを生成して表示する（例えば図７）。
【００５９】
図７は、本発明の好適な実施形態の一例に係るブログページから新たに生成するコメントページの画面表示例である。
【００６０】
コメントページには、入力フィールド４１と、投稿ボタン４２およびキャンセルボタン４３を備えている。入力フィールド４１に入力されたコメントデータは、投稿ボタン４２が押下されることにより、コメント入力部１３０がページデータとして反映し、ＷｅｂページＤＢ１５０に記憶する。
【００６１】
また、キャンセルボタン４３が押下されることにより、コメントページ生成部１２０は、生成したコメントページを消去し、コメントボタン３０押下前の状態に戻す。これに伴い、コメントページ生成部１２０は、ＷｅｂページＤＢ１５０に記憶したページデータも削除する。
【００６２】
コメントページには、ブログページに対するリンク４０が存在し、リンク４０が押下されることにより、ブログページに遷移する。このリンク４０が存在することにより、ブログページへの他Ｗｅｂページからのリンク数が増加する。その結果、ブログページの重要度は、コメント入力前に比べて高く評価されることとなる。
【００６３】
図８は、本発明の好適な実施形態の一例に係るコメントページの画面表示例である。この例は、図７において入力を受け付けたコメントデータが反映されたものであって、図６のリンク３１から遷移して表示されるページである。
【００６４】
更新ボタン４４の押下を受け付けることにより、コメント入力部１３０は、入力フィールド４１に対して修正入力された内容を、ページデータに反映し、ＷｅｂページＤＢ１５０を更新する。
【００６５】
なお、この修正入力が可能なユーザは、投稿したユーザ本人や、ブログページの作成ユーザ、あるいはサーバ１０の管理ユーザ等に限定することとしてよい。その場合には、例えば、コメント投稿の際に更新用のパスワードを設定し、サーバ１０が当該パスワードをコメントページと関連付けて記憶することにより実現することができる。
【００６６】
更に、コメントボタン３０の押下を受け付けることにより、コメントページ生成部１２０は、更に新たなコメントページを生成する。これは、図７および図８に示す例と同様のＷｅｂページであるが、新たなコメントページに表示させるリンク４０は、コメントボタン３０が押下されたコメントページを指すものとなる。
【００６７】
このようにして、コメントに対するコメントの投稿が可能となるため、リンク３１および４０によって相互に参照された、階層構造（ツリー構造）のコメントページ群が生成される。その結果、閲覧ユーザからの関心の高さがＷｅｂページ間のリンクとして反映されるため、ブログページの重要度が高く評価されていくこととなる。
【００６８】
図９は、本発明の好適な実施形態の一例に係るブログページにおいて、コメントの要約データを表示させた画面例である。
【００６９】
この例では、リンク３１それぞれの下に、コメントデータから抽出したテキストデータを表示している。これは、例えば、コメントデータの先頭から所定文字を抽出したものであってよい。
【００７０】
また、形態素解析や係り受け解析等の手法を用いれば、コメントデータを特徴付けるキーワードの組み合わせを効果的に抽出することができる。これにより、閲覧ユーザは、ブログページの記事に対して、どのような種類（例えば、評価や感想等）のコメントが投稿されているのかを、容易に把握できる可能性がある。
【００７１】
更には、コメントデータに画像や音声等が含まれる場合には、例えば、画像の特徴的な一部分や、音声データから音声認識技術により抽出したテキストデータ等を表示することとしてもよい。
【００７２】
このように要約データを表示することにより、ブログページ内のスペースを全文表示に比べて削減できると共に、閲覧ユーザは、コメントの種類や内容を要約データから把握することで、所望のコメントデータのみを効率的に閲覧することができる。
【００７３】
［サーバのハードウェア構成］
図１０は、図３で説明したサーバ１０のハードウェア構成の一例を示す図である。サーバ１０は、制御部１０１を構成するＣＰＵ（Ｃｅｎｔｒａｌ  Ｐｒｏｃｅｓｓｉｎｇ  Ｕｎｉｔ）１０１０（マルチプロセッサ構成ではＣＰＵ１０１２等複数のＣＰＵが追加されてもよい）、バスライン１００５、通信Ｉ／Ｆ１０４０、メインメモリ１０５０、ＢＩＯＳ（Ｂａｓｉｃ  Ｉｎｐｕｔ  Ｏｕｔｐｕｔ  Ｓｙｓｔｅｍ）１０６０、ＵＳＢポート１０９０、Ｉ／Ｏコントローラ１０７０、ならびにキーボードおよびマウス１１００等の入力手段や表示装置１０２２を備える。
【００７４】
Ｉ／Ｏコントローラ１０７０には、テープドライブ１０７２、ハードディスク１０７４、光ディスクドライブ１０７６、半導体メモリ１０７８、等の記憶手段を接続することができる。
【００７５】
ＢＩＯＳ１０６０は、サーバ１０の起動時にＣＰＵ１０１０が実行するブートプログラムや、サーバ１０のハードウェアに依存するプログラム等を格納する。
【００７６】
記憶部１０７を構成するハードディスク１０７４は、サーバ１０がサーバとして機能するための各種プログラムおよび本発明の機能を実行するプログラムを記憶しており、更に必要に応じて各種データベースを構成可能である。
【００７７】
光ディスクドライブ１０７６としては、例えば、ＤＶＤ−ＲＯＭドライブ、ＣＤ−ＲＯＭドライブ、ＤＶＤ−ＲＡＭドライブ、ＣＤ−ＲＡＭドライブを使用することができる。この場合は各ドライブに対応した光ディスク１０７７を使用する。光ディスク１０７７から光ディスクドライブ１０７６によりプログラムまたはデータを読み取り、Ｉ／Ｏコントローラ１０７０を介してメインメモリ１０５０またはハードディスク１０７４に提供することもできる。
【００７８】
サーバ１０に提供されるプログラムは、ハードディスク１０７４、光ディスク１０７７、またはメモリーカード等の記録媒体に格納されて提供される。このプログラムは、Ｉ／Ｏコントローラ１０７０を介して、記録媒体から読み出され、または通信Ｉ／Ｆ１０４０を介してダウンロードされることによって、サーバ１０にインストールされ実行されてもよい。
【００７９】
前述のプログラムは、内部または外部の記憶媒体に格納されてもよい。ここで、記憶部１０７を構成する記憶媒体としては、ハードディスク１０７４、光ディスク１０７７、またはメモリーカードの他に、ＭＤ等の光磁気記録媒体、テープ媒体を用いることができる。また、専用通信回線やインターネットに接続されたサーバシステムに設けたハードディスク１０７４または光ディスクライブラリ等の記憶装置を記録媒体として使用し、通信回線を介してプログラムをサーバ１０に提供してもよい。
【００８０】
ここで、表示装置１０２２は、ユーザにデータの入力を受け付ける画面を表示したり、サーバ１０による演算処理結果の画面を表示したりするものであり、ブラウン管表示装置（ＣＲＴ）、液晶表示装置（ＬＣＤ）等のディスプレイ装置を含む。
【００８１】
ここで、入力手段は、ユーザによる入力の受け付けを行うものであり、キーボードおよびマウス１１００等により構成してよい。
【００８２】
また、通信Ｉ／Ｆ１０４０は、サーバ１０を専用ネットワークまたは公共ネットワークを介して端末と接続できるようにするためのネットワーク・アダプタである。通信Ｉ／Ｆ１０４０は、モデム、ケーブル・モデムおよびイーサネット（登録商標）・アダプタを含んでよい。
【００８３】
以上の例は、サーバ１０について主に説明したが、コンピュータに、プログラムをインストールして、そのコンピュータをサーバ装置として動作させることにより上記で説明した機能を実現することもできる。したがって、本発明において一実施形態として説明したサーバにより実現される機能は、上述の方法を当該コンピュータにより実行することにより、あるいは、上述のプログラムを当該コンピュータに導入して実行することによっても実現可能である。
【００８４】
［端末のハードウェア構成］
端末装置２０も、上述のサーバ１０と同様な構成を持つ。また、上述の例ではいわゆるコンピュータで実現した例について説明したが、更に、本発明の原理が適用可能である限り、携帯電話、ＰＤＡ（Ｐｅｒｓｏｎａｌ  Ｄａｔａ  Ａｓｓｉｓｔａｎｔ）、ゲーム機等の様々な端末で実現してよい。
【００８５】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施形態に記載されたものに限定されるものではない。
【図面の簡単な説明】
【００８６】
【図１】本発明の好適な実施形態の一例に係るＷｅｂページの重要度の算出方法を表す概念図である。
【図２】本発明の好適な実施形態の一例に係るコメントデータの関連付け方法の概要を示す図である。
【図３】本発明の好適な実施形態の一例に係るサーバ１０の機能示すブロック図である。
【図４】本発明の好適な実施形態の一例に係るサーバ１０の処理の流れを示す図である。
【図５】従来のブログページの画面表示例を示す図である。
【図６】本発明の好適な実施形態の一例に係るブログページの画面表示例を示す図である。
【図７】本発明の好適な実施形態の一例に係るブログページから新たに生成するコメントページの画面表示例である。
【図８】本発明の好適な実施形態の一例に係るコメントページの画面表示例である。
【図９】本発明の好適な実施形態の一例に係るブログページにおいて、コメントの要約データを表示させた画面例である。
【図１０】本発明の好適な実施形態の一例に係るサーバ１０のハードウェア構成の一例を示す図である。
【符号の説明】
【００８７】
１０    サーバ
２０    端末装置
３０    コメントボタン
３１、４０    リンク
４１    入力フィールド
４２    投稿ボタン
４３    キャンセルボタン
４４    更新ボタン
【図１】
2008282305.tif 000003
【図２】
2008282305.tif 000004
【図３】
2008282305.tif 000005
【図４】
2008282305.tif 000006
【図５】
2008282305.tif 000007
【図６】
2008282305.tif 000008
【図７】
2008282305.tif 000009
【図８】
2008282305.tif 000010
【図９】
2008282305.tif 000011
【図１０】
2008282305.tif 000012